【事件の表示】
　特願２０１４−２０５９９３「全周動画配信システム、全周動画配信方法、通信端末装置およびそれらの制御方法と制御プログラム」拒絶査定不服審判事件〔平成２７年１２月　７日出願公開、特開２０１５−２２０７４５、請求項の数（１１）〕について、次のとおり審決する。
【結　論】
　原査定を取り消す。
　本願の発明は、特許すべきものとする。
【理　由】
第１　手続の経緯
　本願は、平成２６年５月１６日に出願した特願２０１４−１０２６７３号の一部を平成２６年１０月６日に新たな特許出願としたものであって、平成２７年１月２３日付けの拒絶理由通知に対して、平成２７年３月２７日付けで手続補正がなされたが、平成２７年６月１７日付けで拒絶査定がなされた。
　本件は、上記拒絶査定を不服として、平成２７年９月２４日付けで請求された拒絶査定不服審判であって、請求と同時に手続補正がなされたものである。
第２　平成２７年９月２４日付けの手続補正（以下、「本件補正」という。）の適否
１．補正の内容
（１）本件補正は、本件補正前の平成２７年３月２７日付け手続補正の特許請求の範囲の請求項１ないし１３である、
［補正前］
「【請求項１】
　ユーザによる追跡対象物の指示を受け付ける受付手段と、
　全周カメラで撮影された全周動画から生成された全周動画データを受信する全周動画データ受信手段と、
　前記全周動画データから全周動画を再生し、再生された前記全周動画から、前記追跡対象物の特徴量にマッチングする特徴量を含む範囲の動画映像を選択して表示する全周動画再生手段と、
　を備え、
　前記全周動画データ受信手段は、少なくとも２つの全周カメラからの全周動画に基づいて生成された少なくとも２つの全周動画データから、前記追跡対象物を含む全周動画データを選択する第１映像選択手段を備える通信端末装置。
　【請求項２】
　前記第１映像選択手段は、前記少なくとも２つの全周カメラからの全周動画に基づいて生成された前記少なくとも２つの全周動画データの配信元から、前記追跡対象物を含む全周動画データを配信する配信元を選択する、請求項１に記載の通信端末装置。
　【請求項３】
　前記全周動画再生手段は、受信した前記全周動画データから前記全周動画を、全周フレーム画像の単位で、視点を内部に含むマッピング用立体上に展開する全周動画展開手段を有し、前記視点からの視線方向を前記追跡対象物に向けた範囲の動画映像を表示する、請求項１または２に記載の通信端末装置。
　【請求項４】
　前記全周動画再生手段は、前記視点を前記マッピング用立体に近づけて前記追跡対象物へのズームインを行ない、前記視点を前記マッピング用立体から遠ざけて前記追跡対象物からのズームアウトを行なう、請求項３に記載の通信端末装置。
　【請求項５】
　前記全周動画の特徴量と、既知の位置からあらかじめ撮影された画像の特徴量とのマッチングに基づいて、前記全周動画を撮影した全周カメラの位置を判定する位置判定手段、をさらに備え、
　前記全周動画再生手段は、前記選択された動画映像と、前記位置判定手段が決定した位置とを表示する請求項１乃至４のいずれか１項に記載の通信端末装置。
　【請求項６】
　前記全周動画データ受信手段は、少なくとも２つの全周カメラからの全周動画に基づいて配信される前記追跡対象物を含む前記全周動画データを、ユーザからの前記少なくとも２つの全周カメラの選択指示に従って選択する第２映像選択手段をさらに備える請求項１乃至５のいずれか１項に記載の通信端末装置。
　【請求項７】
　前記全周動画データに対応する立体音声データを受信する立体音声データ受信手段をさらに備え、
　前記全周動画再生手段は、前記立体音声データから、前記動画映像の表示範囲に応じた立体音声を再生して出力する、請求項１乃至６のいずれか１項に記載の通信端末装置。
　【請求項８】
　前記追跡対象物に対応する表示情報および音声情報の少なくともいずれかを含む情報を取得する取得手段をさらに備え、
　前記全周動画再生手段は、前記追跡対象物に対応する前記情報を合成して、前記動画映像を出力する請求項１乃至７のいずれか１項に記載の通信端末装置。
　【請求項９】
　前記通信端末装置はテレビ受像機であって、
　前記全周動画再生手段は、前記全周動画データからテレビ用映像データを生成するテレビ局から送信された前記テレビ用映像データに基づいて再生された前記全周動画から、前記追跡対象物の特徴量にマッチングする特徴量を含む範囲の動画映像を選択して走査表示する、請求項１乃至８のいずれか１項に記載の通信端末装置。
　【請求項１０】
　通信端末装置の受付手段が、ユーザによる追跡対象物の指示を受け付ける受付ステップと、
　前記通信端末装置の全周動画データ受信手段が、全周カメラで撮影された全周動画から生成された全周動画データを受信する全周動画データ受信ステップと、
　前記通信端末装置の全周動画再生手段が、前記全周動画データから全周動画を再生し、再生された前記全周動画から、前記追跡対象物の特徴量にマッチングする特徴量を含む範囲の動画映像を選択して表示する全周動画再生ステップと、
　を含み、
　前記全周動画データ受信ステップは、少なくとも２つの全周カメラからの全周動画に基づいて生成された少なくとも２つの全周動画データから、前記追跡対象物を含む全周動画データを選択する第１映像選択ステップを含む通信端末装置の制御方法。
　【請求項１１】
　ユーザによる追跡対象物の指示を受け付ける受付ステップと、
　全周カメラで撮影された全周動画から生成された全周動画データを受信する全周動画データ受信ステップと、
　前記全周動画データから全周動画を再生し、再生された前記全周動画から、前記追跡対象物の特徴量にマッチングする特徴量を含む範囲の動画映像を選択して表示する全周動画再生ステップと、
　を通信端末装置が有するコンピュータに実行させる通信端末装置の制御プログラムであって、
　前記全周動画データ受信ステップは、少なくとも２つの全周カメラからの全周動画に基づいて生成された少なくとも２つの全周動画データから、前記追跡対象物を含む全周動画データを選択する第１映像選択ステップを含む通信端末装置の制御プログラム。
　【請求項１２】
　少なくとも２つの全周カメラと、
　前記全周カメラで撮影された全周動画を取得して時系列の全周フレーム画像データを生成する全周画像生成手段と、
　前記時系列の全周フレーム画像データに対して符号化を行なって全周動画データを生成する全周動画データ生成手段と、
　前記少なくとも２つの全周カメラからの全周動画に基づいて生成された少なくとも２つの全周動画データから、ユーザにより指示された追跡対象物の特徴量にマッチングする特徴量を含む全周動画データを選択する第１選択手段と、
　前記全周動画データを再生し、再生された前記全周動画から、前記追跡対象物の特徴量にマッチングする特徴量を含む範囲の動画映像を選択する第２選択手段と、
　前記追跡対象物を含む動画映像を表示する動画再生手段と、
　を備える全周動画配信システム。
　【請求項１３】
　全周画像生成手段が、全周カメラで撮影された全周動画を取得して時系列の全周フレーム画像データを生成する全周画像生成ステップと、
　全周動画データ生成手段が、前記時系列の全周フレーム画像データに対して符号化を行なって全周動画データを生成する全周動画データ生成ステップと、
　第１選択手段が、前記少なくとも２つの全周カメラからの全周動画に基づいて生成された少なくとも２つの全周動画データから、ユーザにより指示された追跡対象物の特徴量にマッチングする特徴量を含む全周動画データを選択する第１選択ステップと、
　第２選択手段が、前記全周動画データを再生し、再生された前記全周動画から、ユーザにより指示された追跡対象物の特徴量にマッチングする特徴量を含む範囲の動画映像を選択する第２選択ステップと、
　動画再生手段が、前記追跡対象物を含む動画映像を表示する動画再生ステップと、
　を含む全周動画配信方法。」
を、平成２７年９月２４日付け手続補正により、
［補正後］
「【請求項１】
　ユーザによる追跡対象物の指示を受け付ける受付手段と、
　全周カメラで撮影された全周動画から生成された全周動画データを受信する全周動画データ受信手段と、
　前記全周動画データから全周動画を再生し、再生された前記全周動画から、前記追跡対象物の特徴量にマッチングする特徴量を含む範囲の動画映像を選択して表示する全周動画再生手段と、
　を備え、
　前記全周動画データ受信手段は、少なくとも２つの全周カメラからの全周動画に基づいて生成された少なくとも２つの全周動画データから、前記追跡対象物を含む全周動画データ
であって、かつ、前記追跡対象物を撮影する視線方向の表示に基づき前記ユーザにより選択指示された前記全周動画データ
　【請求項２】
　前記全周動画再生手段は、受信した前記全周動画データから前記全周動画を、全周フレーム画像の単位で、視点を内部に含むマッピング用立体上に展開する全周動画展開手段を有し、前記視点からの視線方向を前記追跡対象物に向けた範囲の動画映像を表示する、請求項
１
　【請求項３】
　前記全周動画再生手段は、前記視点を前記マッピング用立体に近づけて前記追跡対象物へのズームインを行ない、前記視点を前記マッピング用立体から遠ざけて前記追跡対象物からのズームアウトを行なう、請求項
２
　【請求項４】
　前記全周動画の特徴量と、既知の位置からあらかじめ撮影された画像の特徴量とのマッチングに基づいて、前記全周動画を撮影した全周カメラの位置を判定する位置判定手段、をさらに備え、
　前記全周動画再生手段は、前記選択された動画映像と、前記位置判定手段が決定した位置とを表示する請求項１乃至
３
　【請求項５】
　前記全周動画データに対応する立体音声データを受信する立体音声データ受信手段をさらに備え、
　前記全周動画再生手段は、前記立体音声データから、前記動画映像の表示範囲に応じた立体音声を再生して出力する、請求項１乃至
４
　【請求項６】
　前記追跡対象物に対応する表示情報および音声情報の少なくともいずれかを含む情報を取得する取得手段をさらに備え、
　前記全周動画再生手段は、前記追跡対象物に対応する前記情報を合成して、前記動画映像を出力する請求項１乃至
５
　【請求項７】
　前記通信端末装置はテレビ受像機であって、
　前記全周動画再生手段は、前記全周動画データからテレビ用映像データを生成するテレビ局から送信された前記テレビ用映像データに基づいて再生された前記全周動画から、前記追跡対象物の特徴量にマッチングする特徴量を含む範囲の動画映像を選択して走査表示する、請求項１乃至
６
　【請求項８】
　通信端末装置の受付手段が、ユーザによる追跡対象物の指示を受け付ける受付ステップと、
　前記通信端末装置の全周動画データ受信手段が、全周カメラで撮影された全周動画から生成された全周動画データを受信する全周動画データ受信ステップと、
　前記通信端末装置の全周動画再生手段が、前記全周動画データから全周動画を再生し、再生された前記全周動画から、前記追跡対象物の特徴量にマッチングする特徴量を含む範囲の動画映像を選択して表示する全周動画再生ステップと、
　を含み、
　前記全周動画データ受信ステップは、少なくとも２つの全周カメラからの全周動画に基づいて生成された少なくとも２つの全周動画データから、前記追跡対象物を含む全周動画データ
であって、かつ、前記追跡対象物を撮影する視線方向の表示に基づき前記ユーザにより選択指示された前記全周動画データ
　【請求項９】
　ユーザによる追跡対象物の指示を受け付ける受付ステップと、
　全周カメラで撮影された全周動画から生成された全周動画データを受信する全周動画データ受信ステップと、
　前記全周動画データから全周動画を再生し、再生された前記全周動画から、前記追跡対象物の特徴量にマッチングする特徴量を含む範囲の動画映像を選択して表示する全周動画再生ステップと、
　を通信端末装置が有するコンピュータに実行させる通信端末装置の制御プログラムであって、
　前記全周動画データ受信ステップは、少なくとも２つの全周カメラからの全周動画に基づいて生成された少なくとも２つの全周動画データから、前記追跡対象物を含む全周動画データ
であって、かつ、前記追跡対象物を撮影する視線方向の表示に基づき前記ユーザにより選択指示された前記全周動画データ
　【請求項１０】
　少なくとも２つの全周カメラと、
　前記全周カメラで撮影された全周動画を取得して時系列の全周フレーム画像データを生成する全周画像生成手段と、
　前記時系列の全周フレーム画像データに対して符号化を行なって全周動画データを生成する全周動画データ生成手段と、
　前記少なくとも２つの全周カメラからの全周動画に基づいて生成された少なくとも２つの全周動画データから、ユーザにより指示された追跡対象物の特徴量にマッチングする特徴量を含む全周動画データ
であって、かつ、前記追跡対象物を撮影する視線方向の表示に基づき前記ユーザにより選択指示された前記全周動画データ
　前記全周動画データを再生し、再生された前記全周動画から、前記追跡対象物の特徴量にマッチングする特徴量を含む範囲の動画映像を選択する第２選択手段と、
　前記追跡対象物を含む動画映像を表示する動画再生手段と、
　を備える全周動画配信システム。
　　【請求項１１】
　全周画像生成手段が、全周カメラで撮影された全周動画を取得して時系列の全周フレーム画像データを生成する全周画像生成ステップと、
　全周動画データ生成手段が、前記時系列の全周フレーム画像データに対して符号化を行なって全周動画データを生成する全周動画データ生成ステップと、
　第１選択手段が、前記少なくとも２つの全周カメラからの全周動画に基づいて生成され少なくとも２つの全周動画データから、ユーザにより指示された追跡対象物の特徴量にマッチングする特徴量を含む全周動画データ
であって、かつ、前記追跡対象物を撮影する視線方向の表示に基づき前記ユーザにより選択指示された前記全周動画データ
　第２選択手段が、前記全周動画データを再生し、再生された前記全周動画から、ユーザにより指示された追跡対象物の特徴量にマッチングする特徴量を含む範囲の動画映像を選択する第２選択ステップと、
　動画再生手段が、前記追跡対象物を含む動画映像を表示する動画再生ステップと、
　を含む全周動画配信方法。」
と補正するものである。
　
　なお、下線は、補正箇所である。
　また、明細書の段落０００６〜００１０を補正後の特許請求の範囲の請求項１、８〜１１の補正に合わせて補正している。
（２）特許請求の範囲の上記補正前後の構成を対比すると、以下のように補正するものである。
　補正事項１
　補正前の請求項１について、「前記追跡対象物を含む全周動画データを選択する」を、「前記追跡対象物を含む全周動画データ
であって、かつ、前記追跡対象物を撮影する視線方向の表示に基づき前記ユーザにより選択指示された前記全周動画データ
　補正事項２
　補正前の請求項２を削除する。
　補正事項３
　補正前の請求項３について、「請求項１または２に記載の」を、「請求項
１
　補正事項４
　補正前の請求項４について、「請求項３に記載の」を、「請求項
２
　補正事項５
　補正前の請求項５について、「請求項１乃至４のいずれか１項に記載の」を、「請求項１乃至
３
　補正事項６
　補正前の請求項６を削除する。
　補正事項７
　補正前の請求項７について、「請求項１乃至６のいずれか１項に記載の」を、「請求項１乃至
４
　補正事項８
　補正前の請求項８について、「請求項１乃至７のいずれか１項に記載の」を、「請求項１乃至
５
　補正事項９
　補正前の請求項９について、「請求項１乃至８のいずれか１項に記載の」を、「請求項１乃至
６
　補正事項１０
　補正前の請求項１０について、「前記追跡対象物を含む全周動画データを選択する」を、「前記追跡対象物を含む全周動画データ
であって、かつ、前記追跡対象物を撮影する視線方向の表示に基づき前記ユーザにより選択指示された前記全周動画データ
　補正事項１１
　補正前の請求項１１について、「前記追跡対象物を含む全周動画データを選択する」を、「前記追跡対象物を含む全周動画データ
であって、かつ、前記追跡対象物を撮影する視線方向の表示に基づき前記ユーザにより選択指示された前記全周動画データ
　補正事項１２
　補正前の請求項１２について、「ユーザにより指示された追跡対象物の特徴量にマッチングする特徴量を含む全周動画データを選択する」を、「ユーザにより指示された追跡対象物の特徴量にマッチングする特徴量を含む全周動画データ
であって、かつ、前記追跡対象物を撮影する視線方向の表示に基づき前記ユーザにより選択指示された前記全周動画データ
　補正事項１３
　補正前の請求項１３について、「ユーザにより指示された追跡対象物の特徴量にマッチングする特徴量を含む全周動画データを選択する」を、「ユーザにより指示された追跡対象物の特徴量にマッチングする特徴量を含む全周動画データ
であって、かつ、前記追跡対象物を撮影する視線方向の表示に基づき前記ユーザにより選択指示された前記全周動画データ
２．補正の適否
（１）新規事項の有無、特別な技術的特徴の変更について
（１−１）補正事項１、１０〜１３について
　補正事項１、１０、１１について、補正前の「前記追跡対象物を含む全周動画データを選択する」を、「前記追跡対象物を含む全周動画データ
であって、かつ、前記追跡対象物を撮影する視線方向の表示に基づき前記ユーザにより選択指示された前記全周動画データ
であって、かつ、前記追跡対象物を撮影する視線方向の表示に基づき前記ユーザにより選択指示された前記全周動画データ
（１−２）補正事項２、６について
　請求項を削除する補正であり、願書に最初に添付した明細書、特許請求の範囲又は図面に記載した事項の範囲内であるから、特許法第１７条の２第３項に違反しない。
（１−３）補正事項３〜５、７〜９について
　請求項２及び６が削除されたことに伴い、引用する請求項を変更する補正であり、願書に最初に添付した明細書、特許請求の範囲又は図面に記載した事項の範囲内であるから、特許法第１７条の２第３項に違反しない。
（１−４）特別な技術的特徴の変更について
　補正事項１〜１３は、特許法第１７条の２第４項に違反するところはない。
（１−５）明細書の補正について
　明細書の段落０００６〜００１０についての補正は、特許請求の範囲の請求項１、８〜１１の補正に整合させるための補正であり、同様に、特許法第１７条の２第３項に違反しない。
（２）補正の目的について
（２−１）補正事項１、１０、１１について
　本件補正の補正事項１、１０、１１は、「前記追跡対象物を含む全周動画データを選択する」を、「前記追跡対象物を含む全周動画データ
であって、かつ、前記追跡対象物を撮影する視線方向の表示に基づき前記ユーザにより選択指示された前記全周動画データ
（２−２）補正事項２、６について
　本件補正の補正事項２、６は、請求項を削除する補正であるから、特許法第１７条の２第５項第１号の請求項の削除を目的とするものに該当する。
（２−３）補正事項３〜５、７〜９について
　本件補正の補正事項３〜５、７〜９は、補正事項２、６により、請求項２及び６が、削除されたことに伴い、引用する請求項を変更する補正であるから、特許法第１７条の２第５項第１号の請求項の削除を目的とするものに該当する。
（２−４）補正事項１２、１３について
　本件補正の補正事項１２、１３は、「ユーザにより指示された追跡対象物の特徴量にマッチングする特徴量を含む全周動画データを選択する」を、「ユーザにより指示された追跡対象物の特徴量にマッチングする特徴量を含む全周動画データ
であって、かつ、前記追跡対象物を撮影する視線方向の表示に基づき前記ユーザにより選択指示された前記全周動画データ
（３）限定的減縮について
　そこで、特許法第１７条の２第５項第２号の特許請求の範囲の減縮を目的とするものを含む本件補正後の請求項１ないし１１に記載された発明が、特許法第１７条の２第６項において準用する同法第１２６条第７項の規定に適合するか（特許出願の際独立して特許を受けることができるものであるか）について以下に検討する。
（３−１）補正後発明
　補正後の請求項１ないし１１に係る発明は上記１．（１）に示した［補正後］のとおりであり、そのうち、補正後の請求項１に係る発明（以下、「補正後発明１」という。）は、上記の本件補正後の特許請求の範囲の請求項１に記載された次のとおりのものと認める。
　なお、Ａ〜Ｅについては、説明のために当審で付したものである。
（以下、「構成Ａ」、・・・、「構成Ｅ」という。）
「Ａ　ユーザによる追跡対象物の指示を受け付ける受付手段と、
　Ｂ　全周カメラで撮影された全周動画から生成された全周動画データを受信する全周動画データ受信手段と、
　Ｃ　前記全周動画データから全周動画を再生し、再生された前記全周動画から、前記追跡対象物の特徴量にマッチングする特徴量を含む範囲の動画映像を選択して表示する全周動画再生手段と、
　を備え、
　Ｄ　前記全周動画データ受信手段は、少なくとも２つの全周カメラからの全周動画に基づいて生成された少なくとも２つの全周動画データから、前記追跡対象物を含む全周動画データであって、かつ、前記追跡対象物を撮影する視線方向の表示に基づき前記ユーザにより選択指示された前記全周動画データを選択する映像選択手段を備える
　Ｅ　通信端末装置。」
（３−２）刊行物について
（３−２−１）刊行物１について
　原査定の拒絶の理由に引用された特開２００５−３０３７９６号公報（以下、「刊行物１」という。）には、「放送システムおよび画像再生装置」として、図面とともに以下の事項が記載されている。
ア．「【０００１】
　本発明は、撮影現場の映像を３６０度の視野で取得する放送システムおよび画像再生装置に関するものである。」
イ．「【０００８】
　上記目的を達成する本発明の放送システムは、映像と音声を伴うテレビ放送、またはインターネット映像コンテンツを提供する放送システムであって、
　発信側では、視野が０度から３６０度の広い範囲で撮影されたパノラマ映像を送出し、受信側では、前記パノラマ映像から前記視野の任意の一部、または対象となる被写体を抽出し、前記任意の視野、または被写体を適宜拡大して追跡表示することを特徴とする。」
ウ．「【００１３】
　また、テレビ放送を通じたスポーツ観戦において、特定の選手の動きにあわせて視線を移動させようとしても、ＴＶカメラの向きは視聴者の個々の意思を反映したものとなっていないため、希望が叶わない。もし、視聴者サイドにＴＶカメラの方向を決める権利があれば問題がないが、これは事実上困難である。しかし、受信者側で、必要な映像情報のすべてが提供され、この中から必要な部分だけを切り出して表示することができればこのような問題は解決される。」
エ．「【００１４】
　以下、図を参照して本発明を説明する。図３は、本発明の撮影装置１０の構成を示す斜視図である。図３において、１は円錐状の反射鏡、２は撮影レンズ、３は撮影カメラ、４は受信される光線の軌跡、５は円錐状の反射鏡固定支柱である。このように、撮影装置１０の光学系の構成には、円錐状の反射鏡１と、前記円錐状の反射鏡１の円錐先端側に配置される撮影レンズ２が含まれる。
【００１５】
　撮影カメラ３の前に４５度傾けた平面な鏡（反射鏡）をおけば、撮影カメラが向いている方向に対して９０度だけ曲げられた視野が映しだされる。ここで、カメラを上向きに置き、前記反射鏡を水平方向に１回転させれば、水平３６０度の視野が連続的に撮影されることになる。原理的にはこのような方法を用いることにより、本発明の目的である、撮影現場で見渡せる範囲のもの全てを映像化することが可能である。」
オ．「【００２３】
　一方、視聴者側での画像再生においては、この画像全体を一画面に表示するばかりではなく、見たい方向を選択し、その方向の視野だけを抽出して表示することができる。視野方向は、ジョイスティックやマウス、もしくは、視線の移動、手指の動きを感知するヒューマンインターフェースなどの視野方向入力手段からの信号を受信して決定される。視野方向が決定されると、当該視野方向に相当する画像を抽出して、モニタに選択表示する。」
カ．「【００２５】
  映像情報は、３６０度パノラマ撮影されていると、視野中心がどの方向を向いていてもつなぎ目なしの映像を再生できる。また、モニタに表示する視野方向は、視聴者が指定した被写体の動きによって自動的に移動させることができる。例えば、ある視野の中で被写体として移動中の車を入力装置１３で指定すると、当該車の移動に応じて視野方向も自動的に移動する。」
キ．「【００２６】
　図５〜図８は、本発明の放送システムおよび画像再生装置の構成例を示すブロック図である。図５は送信側の構成を示している。映像信号入力部２０には、カメラなどの撮影装置で撮影された映像、または撮影された映像を記録する記録装置からの映像が入力される。映像送信機２１には映像処理部２２と映像変調部２３が設けられている。映像処理部２２は、図６で後述する映像信号の座標変換などを行う。」
ク．「【００２８】
　図６は、図５の映像信号入力部２０、映像処理部２２の一例を示している。映像信号入力部２０には、図３に示されたような円錐状の反射鏡１、撮影レンズ２からなる光学素子２０ａ、ＣＣＤなどの撮像装置２０ｂを備えた撮影カメラで取得した映像信号が入力される。または、撮影カメラで取得した映像信号をＶＴＲ２０ｃなどの記録装置に記録しておき、その映像信号を映像信号入力部２０に入力しても良い。」
ケ．「【００３１】
　図７は、受信装置の構成例を示している。受信アンテナ４０で受信された信号は、チューナ４１で復調されて、音声信号は音声処理部４２に入力され、映像信号は映像処理部４６に入力される。メモリ４５には、システムを動作させるためのプログラムが記憶されている。制御部４４は、メモリ４５に記憶されているプログラムにより、前記音声処理部４２と映像処理部４６を制御する。所定の信号に調整された音声はスピーカ４３に出力され、映像はモニタ４７に出力される。」
コ．「【００３４】
　図８に示された映像処理部４６は、取得した映像を、固定された背景と、動きのある画像要素に分解し、その画像要素の特徴を抽出する機能を有している。映像の表示に当たっては、指定された画像要素が常に映像の中心付近に来るように画像をトリミングして表示する。画像要素が移動する場合には、頻繁に抽出された映像の特徴との一致を確認し、画像要素の移動に合わせてトリミング領域を変えながら指定された画像要素を追跡するように制御する。これらの一連の機能は、ＣＰＵ５０の処理に基づいて実行される。」
サ．「【００３８】
　また、スポーツ観戦においても、本発明のパノラマ撮影装置を、内野スタンド席、外野スタンド席、バックネット裏席などに設置し、それぞれにおいて３６０度の視野のパノラマ映像を放送すれば、視聴者はその位置において観戦するのと同じような、臨場感にあふれる映像をみることができるという効果が得られる。」
　上記ア．〜サ．の記載及び関連する図面並びにこの分野における技術常識を考慮し、刊行物１について検討する。
（ａ）刊行物１には、上記ア．〜ウ．に記載があるように、受信者側で、必要な映像情報のすべてが提供され、この中から必要な部分だけを切り出して表示することができるように、３６０度の視野で取得された撮影現場の映像から、対象となる被写体を抽出し、追跡表示する画像再生装置についての記載がある。
（ｂ）上記カ．の記載から、刊行物１の画像再生装置は、視聴者が被写体（例えば、移動中の車）を指定する入力装置を備えるものである。
（ｃ）上記エ．、キ．〜ケ．の記載から、刊行物１の画像再生装置は、撮影カメラで水平３６０度の視野が連続的に撮影された映像を受信するチューナを備えるものである。
（ｄ）上記ケ．、コ．の記載から、刊行物１の画像再生装置は、受信した映像を、固定された背景と、動きのある画像要素に分解し、画像要素の特徴を抽出し、指定された画像要素が常に映像の中心付近に来るように画像をトリミングし、画像要素の移動に合わせてトリミング領域を変えながら指定された画像要素を追跡してモニタに表示するように制御する映像処理部を備えるものである。
　そうすると、刊行物１には、以下の発明（以下、「刊行物１発明」という。）が記載されている。
　なお、ａ〜ｄについては、説明のために当審にて付したものである。
（以下、「構成ａ」、・・・、「構成ｄ」という。）
「ａ　視聴者が被写体（例えば、移動中の車）を指定する入力装置と、
　ｂ　撮影カメラで水平３６０度の視野が連続的に撮影された映像を受信するチューナと、
　ｃ　受信した映像を、固定された背景と、動きのある画像要素に分解し、画像要素の特徴を抽出し、指定された画像要素が常に映像の中心付近に来るように画像をトリミングし、画像要素の移動に合わせてトリミング領域を変えながら指定された画像要素を追跡してモニタに表示するように制御する映像処理部を備える、
　ｄ　画像再生装置。」
（３−２−２）刊行物２について
　原査定の拒絶の理由に、周知技術を示す文献として引用された特開２００２−９４９５２号公報（以下、「刊行物２」という。）には、「ディジタル放送信号処理装置及びディジタル放送信号伝送方法」として、図面とともに以下の事項が記載されている。
ア．「【００７８】図１〜図４に示す各図は、いずれも図５に示すようなサーキット場に設置された複数のアングル映像を同時放送する場合（すなわち、複数のチャネルを用いて行う放送を行う場合）を想定している。ここで、コース上を走行する各車両１には、ＧＰＳ衛星２からのＧＰＳ信号を受信するためのＧＰＳ受信機３が搭載されているものとする。また、各ＧＰＳ受信機で測量された車両位置（ＧＰＳ情報（ＧＰＳ位置情報（緯度、経度、必要に応じて高度）とＧＰＳ時間情報）は、車載のアンテナ４から１次局１０のアンテナ（移動体別ＧＰＳ情報受信部）１２へ送信されるようになっている。このＧＰＳ情報を基に、１次局１０は、各車両の現在位置、走行方向、速度などを把握できるようになっている。また、車両に撮像カメラが搭載されている場合には、その撮像信号もアンテナ４を通じて１次局１０側に通知されるようになっている。
【００７９】１次局１０側には、複数台の撮像カメラ１１が接続されている。これら撮像カメラ１１は、いずれもコース脇に設置された固定カメラである。もっとも、かかる同時放送を行わない場合には、撮像カメラ１１は１台の場合もあり得る。撮像カメラ１１と１次局１０との接続は、ケーブル接続であっても良いし、無線回線を通じての接続でも良い。撮像カメラ１１の位置情報は、当該カメラに搭載された又は近傍に配置されたＧＰＳ受信機より１次局１０に与えられるものとする。
【００８０】このように、１次局には、車両１のＧＰＳ情報、撮像カメラ１１の位置情報、撮像カメラ１１の映像情報、車載カメラの映像情報等の情報が集まることになる。これらの情報を編集したものがディジタル放送信号として放送又は伝送される。因みに、複数台の撮像カメラ１１を用意する場合でも、ディジタル放送信号が使用する帯域は、各撮像カメラの映像を編集した１チャンネル分のみである場合もあり得る。」
イ．「【０１０１】図８の場合、受信機５０は、ディジタル放送信号を受信する受信部５１（無線伝播路を経由して受信するか有線路を介して受信するかは問わない。）と、ディジタル放送信号をＴＳパケットに分離する分離部（ＤＭＰＸ）５２と、分離されたＴＳパケットからＴＳストリームを合成する合成部５３と、モード選択画面記憶部５４と、マッピング部５５と、カメラ別被写体情報生成部５６と、ウインドウ合成部５７と、ウインドウ合成部５７の制御を行う制御部５８と、リモートコントローラからの操作信号を受信する操作信号受信部５９と、プロファイル情報に埋め込まれているＵＲＬやメールアドレスへのアクセスが要求されたとき、インターネット網へのアクセスを行うための通信部６０と、映像出力部としてのモニタ６１とを有する。もっとも、図８に示す機能部の全てを搭載している必要はない。実際に搭載する機能の組み合わせは、適用するシステムに応じて異なる。」
ウ．「【０１０４】因みに、撮像カメラ別被写体情報生成部５６が生成した撮像カメラ別の被写体情報Ｓ２７は制御部５８に与えられる。これは、制御部５８において、特定の被写体を追跡表示する機能を実現するためである。【０１０５】図９に、制御部５８が提供する被写体追跡機能を機能ブロックにより表わす。なお、図９は機能構成を概略的に表したものである。因みに、この機能はソフトウェア上の処理だけでなく、ハードウェア上の機能としても実現できる。図９では、制御部５８により実現されるソフトウェア上の機能を、特定被写体追跡機能部５８Ａで表わす。
【０１０６】特定被写体追跡機能部５８Ａは、視聴者が特定の移動体を被写体として追跡表示するモードが選択されたことを確認し、追跡すべき移動体の情報を受付けると、その識別情報と撮像カメラ別被写体情報生成部５６が生成した撮像カメラ別の被写体情報Ｓ２７とのマッチングを行い、指定された移動体を被写体として含む撮像カメラが存在するか判別する。
【０１０７】ここで、当該移動体を被写体として含む撮像カメラが存在する場合には当該撮像カメラの映像がモニタ６１上に表示されるように選択指示を出す。図９では、ウインドウ合成部５７のかかる機能をメイン画面選択出力部５７Ａと表わしている。」
エ．「【０１１８】図１１で用意されているモード項目８０は、マップ８１と、ドライバー８２と、カメラ８３と、プロファイル８４の４つである。ここで、マップ８１は、画面上の所定領域（図１２の場合は、画面の右側領域）に、移動体や撮像カメラの位置を地図上にマッピングした画面を表示させるのに使用する項目である。ドライバー８２は、特定の車両を追跡表示させるために用意された項目であり、この項目が選択された場合には、モニタ６１に出力される撮像カメラの映像が自動的に切り替えられる。カメラ８３は、特定の固定カメラで撮像された映像を選択的に表示させるために用いられるボタンである。移動体や撮像カメラの位置を地図上で確認した上で、希望の映像を選択したい場合に便利である。プロファイル８４は、ドライバーや車両に関する情報であって番組提供者が事前にディジタル放送信号に多重してあるものを見るのに使用されるボタンである。
【０１１９】図１２は、これらモード項目が選択された場合の表示例を表わしている。図１２の場合、画面上には、主画面として選択されたチャンネルの映像８５と、移動体である車両や撮像カメラの位置を地図上にマッピングしたマッピング画面８６と、各車両のラップタイムや速度その他のタイムデータや、個人の戦績その他の個人情報を内容とするプロファイル画面８７とが表示されている。
【０１２０】このような画面の表示が可能なことにより、視聴者は同時に配信されてくる複数のチャネル画面を自由に切り替えて楽しめるだけでなく、必要な情報を入手したり、移動体や撮像カメラの位置関係など現場の様子を理解することができる。また、かかる理解を前提として、適切なタイミングで適切な位置で撮像された画像を選択したり、好みの方向の映像を迷うことなく選択することができる。因みに、ドライバーや撮像カメラの特定方法としては各項目にぶら下がっている選択項目の中から選ぶ方法の他、画面上にカーソルを表示してそのカーソルで特定（クリック）したものを選択する方法が考えられる。」
　上記ア．〜ウ．の記載及び関連する図面並びにこの分野における技術常識を考慮すると、刊行物２には、
　複数台の撮像カメラからの映像を受信するディジタル放送信号処理装置において、
　特定の移動体を被写体として追跡表示するモードが選択され、追跡すべき移動体の情報を受け付けると、その識別情報と撮像カメラ別の被写体情報とのマッチングを行い、当該移動体を被写体として含む撮像カメラが存在する場合には、当該撮像カメラの映像がモニタ上に表示される技術
が記載されている。
（３−３）対比
（３−３−１）刊行物１発明の構成ａと補正後発明１の構成Ａについて
　刊行物１発明の構成ａの「視聴者」、「入力装置」は、それぞれ、補正後発明１の構成Ａの「ユーザ」、「受付手段」に相当する。
　また、刊行物１発明の構成ａの「被写体（例えば、移動中の車）」は、構成ｃのように、追跡してモニタに表示するためのものであるから、刊行物１発明の構成ａの「被写体（例えば、移動中の車）を指定する」ことは、補正後発明１の構成Ａの「追跡対象物の指示を受け付ける」ことに相当する。
　したがって、刊行物１発明の構成ａは、補正後発明１の構成Ａに相当する。
（３−３−２）刊行物１発明の構成ｂと補正後発明１の構成Ｂについて
　刊行物１発明の構成ｂの「撮影カメラ」は、水平３６０度の視野が連続的に撮影されるものであるから、補正後発明１の構成Ｂの「全周カメラ」に相当する。
　刊行物１発明の構成ｂの「水平３６０度の視野が連続的に撮影された映像」は、３６０度を撮影していることから、補正後発明１の構成Ｂの「撮影された全周動画」に相当する。
　刊行物１発明の構成ｂの「映像を受信するチューナ」における「映像」は、補正後発明１の構成Ｂの「全周動画」に相当することから、刊行物１発明の構成ｂの「映像を受信するチューナ」と、補正後発明１の構成Ｂの「全周動画から生成された全周動画データを受信する全周動画データ受信手段」は、「全周動画に対応する信号を受信する受信手段」である点で共通する。
　したがって、刊行物１発明の構成ｂと、補正後発明１の構成Ｂは、「全周カメラで撮影された全周動画に対応する信号を受信する受信手段」を備える点で共通する。
　しかし、「全周動画に対応する信号を受信する受信手段」に関して、刊行物１発明の構成ｂは、「映像（全周動画）を受信するチューナ」であるのに対し、補正後発明１の構成Ｂは、「全周動画から生成された全周動画データを受信する全周動画データ受信手段」である点で相違している。
（３−３−３）刊行物１発明の構成ｃと補正後発明１の構成Ｃについて
　刊行物１発明の構成ｃの「受信した映像を、固定された背景と、動きのある画像要素に分解し、画像要素の特徴を抽出し、指定された画像要素が常に映像の中心付近に来るように画像をトリミングし、画像要素の移動に合わせてトリミング領域を変えながら指定された画像要素を追跡してモニタに表示するように制御する映像処理部」は、『受信した映像から、構成ａで指定した追跡したい被写体（例えば、移動中の車）と一致する特徴である画像要素を含むようにトリミングし、モニタに表示する映像処理部』であるといえる。
　ここで、刊行物１発明の構成ｃの『映像』は、補正後発明１の「全周動画」に相当する。
　また、刊行物１発明の構成ｃの『追跡したい被写体（例えば、移動中の車）と一致する特徴である画像要素を含むようにトリミングし、モニタに表示する』ことは、追跡対象物の特徴に一致する特徴の画像を含むように切り出して表示することといえるので、補正後発明１の構成Ｃの「前記追跡対象物の特徴量にマッチングする特徴量を含む範囲の動画映像を選択して表示する」ことに相当する。
　さらに、刊行物１発明の構成ｃの『映像処理部』は、映像（全周動画）を処理する手段であるから、補正後発明１の構成Ｃの「全周動画再生手段」とは、「全周動画処理手段」である点で共通する。
　したがって、刊行物１発明の構成ｃと補正後発明１の構成Ｃは、「前記全周動画から、前記追跡対象物の特徴量にマッチングする特徴量を含む範囲の動画映像を選択して表示する全周動画処理手段」を備える点で共通する。
　しかし、上記（３−３−２）で検討したように、刊行物１発明の構成ｂが、映像（全周動画）を受信するのに対し、補正後発明１の構成Ｂは、全周動画から生成された全周動画データを受信する点で相違することに起因して、「全周動画」を処理対象とする「全周動画処理手段」に関して、刊行物１発明の構成ｃは、『受信した』映像（全周動画）を処理対象とする『映像処理部』であるのに対し、補正後発明１の構成Ｃは、「前記全周動画データから全周動画を再生し、再生された」全周動画を処理対象とする「全周動画再生手段」である点で相違する。
　
（３−３−４）補正後発明１の構成Ｄについて
　刊行物１発明は、補正後発明１の構成Ｄを有するものでない。
（３−３−５）刊行物１発明の構成ｄと補正後発明１の構成Ｅについて
　刊行物１発明の構成ｄの「画像再生装置」は、送信側と通信する端末であるので、補正後発明１の構成Ｅの「通信端末装置」に相当する。
（３−４）一致点・相違点
　したがって、刊行物１発明と補正後発明１は、以下の点で一致ないし相違する。
［一致点］
「ユーザによる追跡対象物の指示を受け付ける受付手段と、
　全周カメラで撮影された全周動画に対応する信号を受信する受信手段と、
　前記全周動画から、前記追跡対象物の特徴量にマッチングする特徴量を含む範囲の動画映像を選択して表示する全周動画処理手段と、
　を備える
　通信端末装置。」
［相違点］
　相違点１
　「全周動画に対応する信号を受信する受信手段」に関して、補正後発明１は、「全周動画から生成された全周動画データを受信する全周動画データ受信手段」であるのに対し、刊行物１発明は、「映像を受信するチューナ」であり、
　そのことに起因して、
　「全周動画」を処理対象とする「全周動画処理手段」に関して、補正後発明１は、「前記全周動画データから全周動画を再生し、再生された」全周動画を処理対象とする「全周動画再生手段」であるのに対し、刊行物１発明は、「受信した」映像（全周動画）を処理対象とする『映像処理部』である点。
　相違点２
　補正後発明１は、「前記全周動画データ受信手段は、少なくとも２つの全周カメラからの全周動画に基づいて生成された少なくとも２つの全周動画データから、前記追跡対象物を含む全周動画データであって、かつ、前記追跡対象物を撮影する視線方向の表示に基づき前記ユーザにより選択指示された前記全周動画データを選択する映像選択手段」を備えるのに対し、刊行物１発明は、そのような手段を備えていない点。
（３−５）当審の判断
（３−５−１）相違点１についての検討
　動画を通信する際に、動画を符号化して動画データを生成し、生成された動画データを送信し、受信した動画データを復号化することにより元の動画を再生することは、動画像通信の分野では周知慣用の技術であり、刊行物１発明の「映像」（全周動画）を送受信する際に、そのような周知慣用技術を適用することにより、全周動画を符号化、すなわち、全周動画データを生成し、全周動画から生成された全周動画データを受信するようにすることは、当業者が容易に想到し得るものである。
　そして、全周動画データを受信するのであれば、
　全周動画を処理する際に、全周動画データを、元の全周動画に復号化、すなわち、再生する構成を有することは当然に必要なことであるし、
　選択に際して、全周動画データから選択するようにすることも当然に考えることである。
　したがって、刊行物１発明の画像再生装置において、「受信した」映像（全周動画）を処理対象とする『映像処理部』を、「前記全周動画データから全周動画を再生し、再生された」全周動画を処理対象とする「全周動画再生手段」とすることも当業者が容易に想到し得るものである。
（３−５−２）相違点２についての検討
　刊行物１発明の画像再生装置は、被写体を指定すると、１つの撮影カメラについて、移動に合わせて追跡して表示するものであるが、上記（３−２−１）サ．の記載から、刊行物１には、『視聴者はその位置において観戦するのと同じような映像をみることができるように、複数の箇所に設置された撮影カメラからの映像の放送をすること』が記載されており、『視聴者はその位置において観戦するのと同じような映像をみることができるように』するためには、それぞれの放送を受信し、受信した映像の放送から、観戦したい位置の映像を選択すれば良いのであるから、刊行物１には、『複数の箇所に設置された撮影カメラからの映像の放送を受信し、複数の箇所に設置された撮影カメラからの映像の放送から、視聴者が、撮影カメラからの映像を選択すること』が示唆されているといえる。
　また、上記（３−２−２）の検討から、刊行物２のディジタル放送信号処理装置は、『複数台の撮像カメラからの映像から、追跡すべき移動体を含む映像を選択して表示する』構成であるといえる。
　
　そうすると、刊行物１に、『複数の箇所に設置された撮影カメラからの映像の放送を受信し、複数の箇所に設置された撮影カメラからの映像の放送から、視聴者が、撮影カメラからの映像を選択すること』が示唆され、刊行物２のディジタル放送信号処理装置のように、『複数台の撮像カメラからの映像から、追跡すべき移動体を含む映像を選択して表示する』構成が知られていることから、刊行物１発明の画像再生装置において、相違点２のうちの、
「少なくとも２つの全周カメラからの全周動画に基づいて生成された少なくとも２つの全周動画データから、
　前記追跡対象物を含む全周動画データ、
　前記ユーザにより選択指示された前記全周動画データ
を選択する映像選択手段を備える」
ことは、当業者が容易に想到し得るものである。
　しかし、刊行物１発明の画像再生装置も、刊行物２のディジタル放送信号処理装置も、「前記追跡対象物を含む全周動画データであって、
かつ、前記追跡対象物を撮影する視線方向の表示に基づき
　刊行物１には、刊行物１発明として認定した記載以外に、上記（３−２−１）オ．に、見たい方向を選択し、その方向の視野だけを抽出して表示することができる視野方向入力手段についての記載があるが、水平３６０度の視野が連続的に撮影された映像から、視聴者が見たい方向を選択するだけであり、追跡対象物を撮影する視線方向の表示をするものでない以上、「前記追跡対象物を含む全周動画データであって、
かつ、前記追跡対象物を撮影する視線方向の表示に基づき
　また、刊行物２には、上記（３−２−２）エ．に、移動体や撮像カメラの位置を地図上で確認した上で、希望の映像を選択したい場合に、特定の固定カメラで撮像された映像を選択的に表示させる構成が記載されているが、追跡すべき移動体を被写体として含むか否かにかかわらず、どの映像を表示させたいかに応じて選択するものであり、追跡対象物を撮影する視線方向の表示をするものでない以上、「前記追跡対象物を含む全周動画データであって、
かつ、前記追跡対象物を撮影する視線方向の表示に基づき
　したがって、刊行物１発明の画像再生装置に刊行物２のディジタル放送信号処理装置の構成を組み合わせても、「前記追跡対象物を含む全周動画データであって、
かつ、前記追跡対象物を撮影する視線方向の表示に基づき
（３−５−３）小活
　したがって、補正後発明１は、当業者が刊行物１発明及び刊行物２に記載された構成に基づいて容易に発明をすることができたとはいえない。
　よって、本件補正の補正事項１は、特許法第１７条の２第６項において準用する同法第１２６条第７項の規定に適合する。
　
　補正後の請求項２ないし１１に係る発明についても、上記相違点に係る構成を全て有しているものであるので、補正後発明１と同様に、当業者が刊行物１発明及び刊行物２に記載された構成に基づいて容易に発明をすることができたとはいえない。
３．むすび
　本件補正は、特許法第１７条の２第３項ないし第６項の規定に適合する。
第３　本願発明
　本件補正は、上記のとおり、特許法第１７条の２第３項ないし第６項の規定に適合するから、本願の請求項１ないし１１に係る発明は、本件補正により補正された特許請求の範囲の請求項１ないし１１に記載された事項により特定されるとおりのものである。
　そして、本願については、原査定の拒絶理由を検討してもその理由によって拒絶すべきものとすることはできない。
　また、他に本願を拒絶すべき理由を発見しない。
　よって、結論のとおり審決する。